(57)【要約】【課題】ユーザがお気に入りのシーンなどの編集点を設定する際に表示領域を選択する情報も併せて記録し、再度その編集点を選択する場合には、選択した領域も再現できるようにすること。【解決手段】表示領域の変更が可能な映像を含む番組の記録再生を行う記録再生装置の制御方法において、番組に関する検索用の設定位置としてチャプタを映像に設定する。この設定位置の時刻情報を記録するとともに、該設定位置での映像の表示領域に関する情報を時刻情報と関連付けて記録しておき、再生時には設定したチャプタをユーザが検索し（Ｓ９０１）、時刻情報に関連付けられた表示領域への変更が行われる（Ｓ９０８）。例えば、同一の時刻情報に対して複数の表示領域が関連付けられている場合、そのいずれかを選択するための画面を表示した後（Ｓ９０６）、選択された表示領域への変更が行われる（Ｓ９０７，Ｓ９０８）。【選択図】図８
2010272969.tif 000002
【特許請求の範囲】
【請求項１】
表示領域の変更が可能な映像を含む番組の記録再生を行う記録再生装置の制御方法であって、
前記番組に関する検索用の設定位置を映像に対して設定するステップと、
前記設定位置の時刻情報を記録するステップと、
前記設定位置での映像の表示領域に関する情報と前記ステップで記録された時刻情報とを関連付けて記録するステップと、を有することを特徴とする記録再生装置の制御方法。
【請求項２】
前記設定位置としてチャプタ又はプレイリストの設定点を映像に対して設定するステップを有することを特徴とする、請求項１記載の記録再生装置の制御方法。
【請求項３】
前記表示領域に関する情報に基づいて、前記表示領域の切換又は変更を行うステップをさらに有することを特徴とする、請求項１又は２に記載の記録再生装置の制御方法。
【請求項４】
前記設定位置については、同一の時刻情報に対して複数の表示領域に関する情報を関連付けることが可能であることを特徴とする、請求項１記載の記録再生装置の制御方法。
【請求項５】
前記設定位置を選択して映像の再生を開始する場合、同一の時刻情報に対して関連付けられた複数の表示領域のうち、いずれかを選択するための画面を表示させるステップをさらに有することを特徴とする、請求項４記載の記録再生装置の制御方法。
【請求項６】
前記設定位置を選択して映像の再生を開始する場合、再生開始点及び再生終了点での表示領域に関する情報に基づいて選択領域を変更するステップをさらに有することを特徴とする、請求項１記載の記録再生装置の制御方法。
【請求項７】
前記設定位置については、同一のシーンに対して複数の表示領域に関する情報を関連付けることが可能であって、前記設定位置に対応した各シーンの一覧表示を行うステップをさらに有することを特徴とする、請求項１記載の記録再生装置の制御方法。
【請求項８】
各シーンの映像を縮小して画面内に一覧表示させるとともに、前記シーンに対して表示領域に関する情報が関連付けられている場合にはその旨を表示することを特徴とする、請求項７記載の記録再生装置の制御方法。
【請求項９】
請求項１から８のいずれか１項に記載の記録再生装置の制御方法をコンピュータに実行させることを特徴とするコンピュータプログラム。
【発明の詳細な説明】
【技術分野】
【０００１】
本発明は、記録再生装置の制御方法及びコンピュータプログラムに関し、特に、デジタル放送で使用される記録再生装置の制御方法及びコンピュータプログラムに関する。
【背景技術】
【０００２】
近年、デジタル放送ではハイビジョン放送（１９２０×１０８０画素）が一般的となっている。また、高度衛星デジタル放送においては、さらに高解像度（４ｋ×２ｋ：デジタルシネマ、８ｋ×４ｋ：スーパーハイビジョン）の映像や２２.２チャンネルのマルチチャンネル音声の伝送方式が検討されている。
従来の解像度を超えるスーパーハイビジョンなどの放送においては、受信装置の能力や機能に応じた表示を行うことも検討されている。画面全体をダウンコンバートして視聴する形態の他に、コンテンツ制作者や放送局が指定した代表画面や特定のテーマに応じた画面（いずれもスーパーハイビジョン画面の一部）を受信機側で切り出して視聴する形態が検討されている。また、その他にも、放送の高機能化の一例として、複数の撮像装置により撮影された複数の映像信号が多重化された信号を受信し、それらの映像信号のうち、所定の映像信号を選択して表示装置に表示する領域可変テレビジョンシステムがある（特許文献１参照）。また、放送番組の記録再生時に、ユーザのお気に入りのシーンや再度見たいシーンを探し易くするため、その番組位置へ編集点（チャプタ、プレイリストなど）を設定する技術が知られている。さらに、この技術ではその編集点の一覧を表示するなどの配慮により、頭出しを簡単に行え、ユーザが編集点を探し易くなるという利点がある。
【先行技術文献】
【特許文献】
【０００３】
【特許文献１】特開平０５−１３０５２８号公報
【発明の概要】
【発明が解決しようとする課題】
【０００４】
しかしながら、表示領域の切換が可能な映像を含む番組を記録再生し、ユーザが再度視聴したい位置などに編集点を設定する場合、以下のような問題がある。
例えば従来の再生位置情報のみの設定では、頭出しが可能であるものの、以前選択していた表示領域部分を視聴したい場合、再度ユーザがその表示領域選択処理を行う必要がある。また、その番組の時刻情報に対しては複数の領域が想定されるため、１ヶ所の番組時刻情報、つまり同一時刻であってもお気に入りの領域が複数存在することも考えられる。しかし、従来のチャプタ設定などの編集では番組の時刻情報のみしか記録していないため、同一時刻には一つの編集点としてしか記録することができなかった。
そこで本発明は、ユーザがお気に入りのシーンなど編集点を設定する際に、表示領域の選択に関する情報をも併せて記録し、再度その編集点を選択する場合には、選択した領域も再現できるようにすることを目的とする。
【課題を解決するための手段】
【０００５】
上記の課題を解決するために、本発明は、表示領域の変更が可能な映像を含む番組の記録再生を行う記録再生装置の制御方法であって、前記番組に関する検索用の設定位置を映像に対して設定するステップと、前記設定位置の時刻情報を記録するステップと、前記設定位置での映像の表示領域に関する情報と前記ステップで記録された時刻情報とを関連付けて記録するステップと、を有する。
【発明の効果】
【０００６】
本発明によれば、ユーザがお気に入りのシーンなどの編集点を設定する際に、時刻情報とともに映像の表示領域に関する情報を関連付けて記録することにより、編集点の選択時に記録していた領域を容易に再現できる。
【図面の簡単な説明】
【０００７】
【図１】図２乃至１０と併せて本発明の実施形態１を説明するために、記録再生装置の概略構成を例示したブロック図である。
【図２】放送受信処理部の出力するＴＳ信号について構成例を示す図である。
【図３】コンポーネント種別の値と意味を例示した説明図である。
【図４】映像表示領域の選択表示方法の一例を説明するための図である。
【図５】表示領域の変更について説明するための図である。
【図６】番組再生中におけるチャプタ設定処理例を示すフローチャートである。
【図７】チャプタ設定結果を記録するチャプタ設定情報テーブルの一例を示す図である。
【図８】再生中におけるチャプタのスキップ処理を例示したフローチャートである。
【図９】チャプタの一覧画面表示について一例を示す図である。
【図１０】同一時刻に別の表示領域設定を行った例を示す図である。
【図１１】図１２乃至１６と併せて本発明に係る実施形態２を説明するために、プレイリストのシーン設定の処理手順を例示したすフローチャートである。
【図１２】表示領域の選択に関する情報を加えたプレイリスト情報テーブルの一例を示す図である。
【図１３】表示領域の選択に関する情報を加えたプレイリスト再生処理を例示したフローチャートである。
【図１４】表示領域の選択に関する情報を加えたプレイリスト再生設定点の一例を示す図である。
【図１５】再生開始時点から再生終了時点に亘って選択される領域の遷移例を示す図である。
【図１６】同一シーンに複数の領域情報が設定されている場合のプレイリスト処理結果の一例を示す図である。
【発明を実施するための形態】
【０００８】
以下、本発明に係る各実施形態について添付図面を参照して説明する。なお、以下の説明では、具体的な数値、構成、動作等を示して説明を行うが、これらは装置の仕様に応じて適宜に変更可能である。
【０００９】
［実施形態１］
図１は、本発明の一実施形態において使用される記録再生装置１０１の概略構成を例示したブロック図である。記録再生装置１０１は、放送受信処理部１０２と、デマルチプレクサ（以下、ＤＥＭＵＸと記す）処理部１０３と、映像デコード処理部１０４と、表示映像選択処理部１０５と、音声デコード処理部１０６と、番組情報処理部１０７とを備える。記録再生装置１０１は、リモートコントローラ（以下、リモコンという）受信部１０８と、記録再生制御部１０９と、記録部１１０と、領域選択制御部１１１と、ＧＵＩ合成処理部１１２と、映像出力端子１１３と、音声出力端子１１４とを備える。なおＧＵＩは「Ｇｒａｐｈｉｃａｌ  Ｕｓｅｒ  Ｉｎｔｅｒｆａｃｅ」の略号である。
【００１０】
放送受信処理部１０２は、電波やネットワークにて放送される放送信号を受信すると、記録再生制御部１０９から指定される放送チャンネルを選択する。そして、その放送チャンネルの信号に復調処理及び誤り訂正処理を施し、ＴＳ（トランスポートストリーム）信号をＤＥＭＵＸ処理部１０３に出力する。
【００１１】
ＤＥＭＵＸ処理部１０３は、放送受信処理部１０２からのＴＳ信号に多重されている映像信号、音声信号、付加データ（番組情報を含む）を分離する。そして、映像信号を映像デコード処理部１０４へ出力し、音声信号を音声デコード処理部１０６へ出力し、付加データとして含まれる番組情報を番組情報処理部１０７へ出力する。また、ＤＥＭＵＸ処理部１０３は、記録再生制御部１０９からの録画指示に従い、放送受信処理部１０２から出力されるＴＳ信号を記録部１１０に出力する。またＤＥＭＵＸ処理部１０３は、記録再生制御部１０９からの再生指示に従い、記録部１１０に格納されるＴＳ信号を取り出す。そして、ＤＥＭＵＸ処理部１０３は、分離した映像信号を映像デコード処理部１０４へ出力し、音声信号を音声デコード処理部１０６へ出力し、付加データとして含まれる番組情報を番組情報処理部１０７へ出力する。
【００１２】
映像デコード処理部１０４は、ＤＥＭＵＸ処理部１０３からの映像信号を復号（デコード）し、デコード後の映像データを表示映像選択処理部１０５へ出力する。表示映像選択処理部１０５は、映像デコード処理部１０４から出力されたデコード後の映像データのうち、どの領域を表示するかについて、領域選択制御部１１１からの指示に基づき選択し、その選択した表示領域の映像データをＧＵＩ合成処理部１１２に出力する。ＧＵＩ合成処理部１１２は、表示映像選択処理部１０５から出力された表示領域の映像データのＧＵＩ画面を、記録再生制御部１０９及び領域選択制御部１１１からの指示に基づき生成する。そしてＧＵＩ合成処理部１１２は、生成されたＧＵＩ画面のデータを映像データに多重合成し、多重合成された映像信号を映像出力端子１１３に出力する。映像出力端子１１３は、不図示の表示装置（ディスプレイ）に接続され、多重合成された映像信号を表示装置に出力する。表示装置は、映像出力端子１１３から出力された信号を受けて映像を表示する。
【００１３】
音声デコード処理部１０６は、ＤＥＭＵＸ処理部１０３からの音声信号を復号（デコード）して音声出力端子１１４に出力する。音声出力端子１１４は、不図示の音声出力装置（スピーカ）に接続され、音声デコード処理部１０６から出力された音声信号を音声出力装置に出力する。音声出力装置は、音声出力端子１１４から出力された音声信号に基づく音声を出力する。
【００１４】
番組情報処理部１０７は、ＤＥＭＵＸ処理部１０３から出力された番組情報のデータを解析し、受信中の番組に関する情報を領域選択制御部１１１へ出力する。
【００１５】
リモコン受信部１０８は、リモコンからの操作信号（キーコードデータ）を受信する。受信した操作信号が、録画チャンネル選択、録画再生、チャプタ設定などの記録再生に関する信号である場合、リモコン受信部１０８は該信号を記録再生制御部１０９へ転送する。また、受信した操作信号が、上下左右などの方向指示について表示領域の移動指示に関する信号である場合、リモコン受信部１０８は該信号を領域選択制御部１１１へ転送する。
【００１６】
記録再生制御部１０９は、リモコン受信部１０８からの録画チャンネル選択指示に応じて受信チャンネルの選択判定処理を行い、そのチャンネルへの切換指示を放送受信処理部１０２に送出する。また記録再生制御部１０９は、リモコン受信部１０８からの録画指示に応じて、ＤＥＭＵＸ処理部１０３に対し、放送受信処理部１０２から出力されるＴＳ信号を記録部１１０に出力するよう指示する。さらに記録再生制御部１０９は、記録部１１０に対し、ＤＥＭＵＸ処理部１０３からのＴＳ信号を記録するように指示する。そして、録画対象番組は記録部１１０にＴＳ信号として記録される。また記録再生制御部１０９は、リモコン受信部１０８からの再生指示に応じて、記録部１１０及びＤＥＭＵＸ処理部１０３へ番組の再生を指示する。
【００１７】
記録部１１０は記録済みのＴＳ信号をＤＥＭＵＸ処理部１０３に出力し、ＤＥＭＵＸ処理部１０３はそのＴＳ信号のＤＥＭＵＸ処理を行う。記録部１１０は、記録再生制御部１０９からの指示を受け、ＤＥＭＵＸ処理部１０３から出力されたＴＳ信号を記録し、また記録されたＴＳ信号を出力する。記録部１１０は、記録時には記録データの総録画時刻情報を記録し、再生時には記録番組のどの位置を再生しているかに関する再生位置情報を管理する。また、記録部１１０はチャプタ設定など記録番組に関する情報も記録する。
【００１８】
領域選択制御部１１１は、リモコン受信部１０８から出力された表示領域の移動指示、並びに番組情報処理部１０７から出力された受信中のチャンネル及び番組の情報に基づいて、指示に応じた映像表示領域での表示位置を判定する。そして領域選択制御部１１１は、その領域の映像を表示するための指示を、表示映像選択処理部１０５に出力する。
【００１９】
図２は、放送受信処理部１０２から出力されるＴＳ信号の構成例を示す図である。ＴＳ信号は、ＩＥＣ、ＩＥＥＥ及びＡＲＩＢ等により規定されている。なおＩＥＣは、Ｉｎｔｅｒｎａｔｉｏｎａｌ  Ｅｌｅｃｔｒｏ−ｔｅｃｈｎｉｃａｌ  Ｃｏｍｍｉｓｓｉｏｎ（国際電気標準会議）の略号である。またＩＥＥＥは、Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ（電気電子学会）の略号である。ＡＲＩＢは、Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ（電波産業会）の略号である。図２に示すように、複数のＴＳパケットが時分割多重されてＴＳ信号が構成されている。映像信号に対応するｖｉｄｅｏ部、音声信号に対応するａｕｄｉｏ部、付加データに対応するｄａｔａ部は、それぞれＴＳパケット単位で伝送される。ＤＥＭＵＸ処理部１０３は、このようなＴＳ信号を、ｖｉｄｅｏ部、ａｕｄｉｏ部、ｄａｔａ部に分離し、それぞれ映像デコード処理部１０４、音声デコード処理部１０６、番組情報処理部１０７に出力する。
【００２０】
また、複数のｄａｔａ部を収集して再構成される管理情報テーブルは、ＰＡＴ、ＰＭＴ、ＥＩＴ、ＮＩＴ等で構成される。ここでＰＡＴは、Ｐｒｏｇｒａｍ  Ａｓｓｏｃｉａｔｉｏｎ  Ｔａｂｌｅの略号である。ＰＭＴは、Ｐｒｏｇｒａｍ  Ｍａｐ  Ｔａｂｌｅの略号である。ＥＩＴはＥｖｅｎｔ  Ｉｎｆｏｒｍａｔｉｏｎ  Ｔａｂｌｅの略号である。ＮＩＴはＮｅｔｗｏｒｋ  Ｉｎｆｏｒｍａｔｉｏｎ  Ｔａｂｌｅの略号である。このうちＥＩＴは、放送される受信中及びその後の番組編成を示すものであり、その最初の部分に、テーブルＩＤ、サービスＩＤ、イベントＩＤ、番組の放送開始時刻、放送継続時間等が記述され、これらの後に、いくつかの記述子が配置される。番組情報処理部１０７は、このＥＩＴの情報に基づき、どのような番組が放送されているのかを解析する。ここで、基本データ（フィールド）情報及び各種記述子について説明する。これらは、対象となる番組に関して表示領域の変更が可能な番組（以下、領域変更可能番組という）であるか否かを判定する際や、どのような表示領域の選択が可能であるかを判定する際に使用され、これらの判定は、ＥＩＴ情報に基づいて行われる。つまり、テーブルＩＤによりＥＩＴの識別が行われ、その後、記述されているイベントＩＤにより番組が識別される。また、ＥＩＴには、その番組の放送開始時刻及び放送継続時間が記述されている。放送開始時刻及び放送継続時間の情報に基づいて、現在放送中又は次に放送される番組か否か、そして、いつ番組が終了するのかについて判定が行われる。
【００２１】
以下では、上記した記述子の一例について説明するが、例えば、コンポーネント記述子、短形式イベント記述子、イベントグループ記述子などが挙げられる。コンポーネント記述子には映像の解像度及びアスペクト比の情報が記述されている。短形式イベント記述子には番組名が記述されている。イベントグループ記述子には番組終了時にその番組の続きがどのサービスで放送されるかといったイベントリレー情報が記述されている。図２の例では、コンポーネント記述子、イベントグループ記述子、シリーズ記述子を示す。
【００２２】
図３は、コンポーネント記述子において、領域変更可能番組の関連情報を記述する例を示す。コンポーネント記述子内に”ｃｏｍｐｏｎｅｎｔ＿ｔｙｐｅ”で示す識別子には、番組の解像度情報やアスペクト比などが記述されている。例えば１６進数０ｘ０１の場合は解像度４８０ｉ、１６進数０ｘｂ２の場合は解像度１０８０ｉである。この記述子に、以下のような定義付けをしておくことで、領域変更可能番組であるか否かについて判定が可能となる。例えば、１６進数０ｘｆ０の場合、対象番組は解像度が４３２０ｐの番組であって通常領域での表示を行う番組であると判定される。また１６進数０ｘｆ１の場合、対象番組は、解像度が４３２０ｐの番組であって領域変更可能番組であると判定される。
【００２３】
図４は、表示領域の変更が可能な映像表示領域の選択表示方法について一例を示す。本例では、識別子”ｃｏｍｐｏｎｅｎｔ＿ｔｙｐｅ”の値が０ｘｆ１であり、７６８０×４３２０画素の解像度でサッカーグラウンド全体を撮影した画像を示す。図中に点線の長方形枠で示す領域は、画像のうち中央部に位置する１９２０×１０８０画素の表示領域を示している。番組の選択後には、どの領域で表示するかについての決定が必要であり、その１つには必ず中心位置を表示することが挙げられる。また、本例の場合、表示領域のサイズを１９２０×１０８０画素としたが、領域のサイズについては映像出力端子１１３へ出力する解像度に応じて変更することができる。あるいはまた、番組の選択直後の初期表示領域の位置及びサイズを、放送局から動的に指定することも可能である。
【００２４】
以下に、コンポーネント記述子の一例として、領域変更可能番組の映像について初期表示位置指定を行う識別子を追加した場合を示す。
component_descriptor(){
descriptor_tag
descriptor_length
reserved_future_use
stream_content
component_type
component_view_x
component_view_y
component_view_w
component_view_h
component_tag
ISO_639_language_code
for(i=0;i<N;i++){
text_char
｝
｝
【００２５】
下線部で示すように、コンポーネント記述子内には、ｃｏｍｐｏｎｅｎｔ＿ｖｉｅｗ＿ｘ、ｃｏｍｐｏｎｅｎｔ＿ｖｉｅｗ＿ｙ、ｃｏｍｐｏｎｅｎｔ＿ｖｉｅｗ＿ｗ、ｃｏｍｐｏｎｅｎｔ＿ｖｉｅｗ＿ｈといった識別子を追加している。ここでｘは水平座標、ｙは垂直座標、ｗは横幅（水平幅）、ｈは縦幅（高さ）をそれぞれ表す。このように、初期表示領域の開始座標をｘ及びｙの値で指定し、表示領域のサイズをｗ及びｈの値で指定することにより、初期表示領域の指定が可能となる。例えば、ｃｏｍｐｏｎｅｎｔ＿ｖｉｅｗ＿ｘ＝０、ｃｏｍｐｏｎｅｎｔ＿ｖｉｅｗ＿ｙ＝０、ｃｏｍｐｏｎｅｎｔ＿ｖｉｅｗ＿ｗ＝１９２０、ｃｏｍｐｏｎｅｎｔ＿ｖｉｅｗ＿ｈ＝１０８０と指定する。この場合、図４に示す映像領域のうち、左上部分における１９２０×１０８０画素の領域を表示することとなる。また、この座標指定を動的に更新しながら放送を行い、その座標指定情報に基づいて表示領域を追従させることも可能である。このように、ＥＩＴ及びＥＩＴ内の各記述子を番組情報処理部１０７が処理し、視聴中の番組について、領域変更可能番組であるか又は通常領域の番組であるかを示す情報や、番組選択の初期領域などの情報を領域選択制御部１１１へ出力する。これによって表示領域の制御処理が行われる。
【００２６】
図５は、領域変更可能番組の表示領域を移動した場合について一例を示す。本例では、まず切換前の番組において、サッカーグラウンド全体が撮影された７６８０×４３２０画素での高解像映像が放送されており、初期領域として点線枠５０１で示す中央部分における１９２０×１０８０画素の領域が指定されている。その後、ユーザによる表示領域の選択操作が行われた場合、画面内において表示領域が移動し、点線枠５０２に示すように左下の領域が選択されて表示される。
【００２７】
図６は、番組再生において映像検索用のチャプタについて設定処理例を示すフローチャートである。領域変更可能番組を再生している最中に、ユーザ操作によるチャプタ設定の要求をリモコン受信部１０８が受け取ると、これが記録再生制御部１０９に伝わることで処理が開始する。まず、記録再生制御部１０９は、現在再生している再生位置情報とチャプタ設定情報を記録部１１０より取得し、その再生位置がチャプタとして設定されているか否かを判定する（Ｓ７０１）。その結果、チャプタ設定済みの場合、Ｓ７０２へ進むが、チャプタ設定がなされていなかった場合、Ｓ７０３へ進む。
【００２８】
Ｓ７０２にて、記録再生制御部１０９は、現在選択されている領域の情報を領域選択制御部１１１より取得し、既に設定されているチャプタの情報（以下、チャプタ情報という）と、選択されている領域の情報とが同じであるか否かを判定する。その結果、チャプタ情報が現在の選択領域の情報と同一であると判定された場合、設定処理を行わずに処理を終了する。またチャプタ情報が現在の選択領域の情報と同一でないと判定された場合、Ｓ７０３へ進む。ここで記録再生制御部１０９は、表示領域及びその選択に関する情報（以下、領域選択情報という）を領域選択制御部１１１より取得し、記録部１１０のチャプタ情報を、時刻情報及び領域選択情報に関連付けて記録部１１０に記録して、処理を終了する。
【００２９】
図７はチャプタ設定情報テーブルの一例を示し、該テーブルにはチャプタ設定結果が記録される。本例では左欄に示す設定時刻、すなわち設定位置での時刻を示す列に時刻情報が格納され、右欄に示す領域選択情報の列には、強制選択情報や座標値、サイズ値などが格納されている。このように、時刻情報と表示領域情報を関連付けてチャプタ情報として記録することで、同一時刻でも異なる表示領域であれば、別チャプタとして設定することが可能となる。
【００３０】
図８は領域変更可能番組の再生中におけるチャプタのスキップ処理を例示したフローチャートである。番組の再生中に、ユーザ操作によりチャプタのスキップ処理の要求をリモコン受信部１０８が受け取り、これが記録再生制御部１０９に伝わることで処理が開始する。
【００３１】
まず、記録再生制御部１０９は、スキップ先のチャプタ設定点が存在するか否かを把握するために検索処理を行う（Ｓ９０１）。その際、現在の番組の再生位置とチャプタのスキップ方向に基づいて、記録部１１０に記録されたチャプタ情報テーブルからスキップ先のチャプタ設定点を検索する処理が行われる。次に記録再生制御部１０９は、スキップ先が発見できたか否かを判定する（Ｓ９０２）。その結果、スキップ先の設定点が発見された場合、Ｓ９０３へ進むが、これを発見できなかった場合、スキップ処理は行わず処理を終了する。
【００３２】
Ｓ９０３にて記録再生制御部１０９は、発見したチャプタ設定値が示す位置へと、再生位置をスキップさせる処理を行う。つまりこの処理は、記録再生制御部１０９が、発見したチャプタ設定値に基づいて、再生番組の位置を割り出し、記録部１１０に対して、出力及び再生するファイルの位置を変更するように指示することで行われる。次のＳ９０４にて記録再生制御部１０９は、Ｓ９０２で発見したチャプタ設定位置と同一の再生位置において、異なる表示領域が設定されたチャプタが存在するか否かを判定する。その結果、複数の設定済みチャプタが存在する場合、Ｓ９０６へ進むが、そうでない場合、Ｓ９０５へ進む。
【００３３】
Ｓ９０５にて記録再生制御部１０９は、Ｓ９０２で発見したチャプタ情報に関して表示領域の情報が設定されているか否かを判定する。その結果、チャプタ情報に表示領域の情報が設定されている場合、Ｓ９０８へ進むが、領域指定がない場合、表示領域を変更せずに処理が終了する。
【００３４】
前記Ｓ９０４にて、スキップ先の同一時刻に異なる複数の表示領域情報が設定されたチャプタが存在すると判定された場合、Ｓ９０６に進む。ここで記録再生制御部１０９は、それらの領域のうちのいずれかを選択する操作をユーザに促すため、ＧＵＩ画面を表示するようにＧＵＩ合成処理部１１２に指示する。次のＳ９０７にて記録再生制御部１０９は、リモコン受信部１０８からユーザ操作に対応した選択信号を受け、どの領域を表示するかを決定する。そしてＳ９０８に進み、記録再生制御部１０９は、Ｓ９０７で決定した領域の映像を表示させるために、領域選択制御部１１１に指示を出し、表示領域を変更する。以上の処理により、設定された時刻への頭出し及びスキップ処理を行いつつ設定された表示領域をユーザが選択できる。
【００３５】
次に、設定されているチャプタを一覧表示する場合について説明する。図９は本実施形態におけるチャプタの一覧画面表示の一例を示す。本例では、チャプタ設定点の時刻情報とともに、設定点のサムネイル画像を表示している。図中のチャプタ１、２については初期表示領域のままで選択領域設定情報が設定されていないチャプタの縮小画像（通常表示領域のサムネイル画像）を示す。チャプタ３については表示領域設定情報が設定されているチャプタの縮小画像（特別表示領域のサムネイル画像）を示している。そして、チャプタ２、３の縮小画像の左側に示す縦線は、同一の時刻にてチャプタ設定がなされていることを表す。なおチャプタ３についてはサムネイル画像に対して、特別表示領域であることを示すアイコンが右上隅に付されているので、ユーザがその旨を容易に視認できる。
【００３６】
図１０は同一時刻において別の表示領域設定を行った場合の一例を示す。本例では、図９で示したチャプタ２が初期表示領域として設定され、チャプタ３については、ユーザ操作に従って表示領域を移動させた状態で設定している例を示している。チャプタ３では、ユーザの操作指示に従って時刻及び表示領域が選択された映像を示す画面であり、その旨が設定されていることを示すアイコンを図９のように表示することで、ユーザは表示領域が変更されることを認識できる。また、本例にてチャプタ２と３については同一時刻に設定されており、図９に示したように、その旨を示す表示を行うことで、チャプタの設定時刻が同一時刻であることをユーザが認識でき、表示領域が選択し易くなる。この表示処理は、記録再生制御部１０９が記録部１１０よりチャプタ情報を取得し、該チャプタ情報をＧＵＩ合成処理部１１２に出力するように指示し、ＧＵＩ合成処理部がＧＵＩ画面を作成して表示させることで実現される。また、サムネイル画像の表示処理については、記録再生制御部１０９が、表示するチャプタの先頭データの出力を記録部１１０へ指示し再生処理を行う。そして記録再生制御部１０９が、領域選択制御部１１１に対してチャプタの表示領域及び表示位置を指示することで、サムネイル画像としてチャプタの先頭画像を表示できる。
【００３７】
以上の処理により、チャプタ設定時に、お気に入りの再生位置に加え、お気に入りの映像に係る表示領域を記録できる。これにより、意図するチャプタへのスキップ処理において、ユーザはお気に入りの表示領域の映像を迅速に視聴できる。その結果、ユーザの好みに合ったチャプタ設定が可能となる。また、チャプタ情報を一覧画面などで表示する際、図９に示すように、領域選択情報が設定されているチャプタ設定点の場合、サムネイル画像がその設定領域情報の表示領域で表示される。そしてサムネイル画像には表示領域が選択されていることを示す情報が表示される。これにより、特別な表示領域にて映像の再生が開始されることを容易に認識できるので、ユーザの利便性が向上する。
【００３８】
［実施形態２］
次に、本発明に係る実施形態２について説明する。実施形態２では、プレイリスト作成時における編集点の設定の際に、実施形態１のチャプタ設定と同様、領域選択情報も含めて設定点として編集点を使用する例について説明する。なお、実施形態２で使用される記録再生装置の構成については実施形態１の場合と同様であるため、その詳細な説明を省略する。
【００３９】
まず、プレイリスト作成処理では、再生開始を行う設定点（以下、Ａ点とする）と、再生終了を行う設定点（以下、Ｂ点とする）の組みをプレイリスト情報として記録する。そして、Ａ点及びＢ点の組み（以下、シーンという）を順次に再生することで、ユーザの好みの番組シーンを実現することができる。
【００４０】
図１１は、プレイリストのシーン設定について処理例を示すフローチャートである。ユーザからのプレイリストの作成要求をリモコン受信部１０８が受け取り、これが記録再生制御部１０９に伝わることで処理が開始する。まず、記録再生制御部１０９は、リモコン受信部１０８からの指示に従って、Ａ点として設定したい時点での映像を再生し、番組並びにその再生位置情報及び領域選択情報を記録部１１０へ記録する（Ｓ１１０１）。次に、記録再生制御部１０９は、リモコン受信部１０８からの指示に従って、Ｂ点として設定したい時点での映像を再生し、番組並びにその再生位置情報及び領域選択情報を記録部１１０へ記録する（Ｓ１１０２）。次に、記録再生制御部１０９は、Ｓ１１０１及びＳ１１０２にて設定したシーンに対し、別の表示領域をさらに追加で設定するかについて問い合わせるための画面表示を指示する（Ｓ１１０３）。次に、記録再生制御部１０９は、リモコン受信部１０８からの指示が、追加で領域を設定する旨の指示であるか否かを判別する（Ｓ１１０４）。表示領域を追加で設定する場合、Ｓ１１０５に進むが、追加的な設定を行わない場合、シーン設定処理が終了する。
【００４１】
Ｓ１１０５では、リモコン受信部１０８からの指示に従って、Ａ点として設定されている番組の再生位置を再度再生して領域を選択する処理が行われ、領域選択情報が追加されて記録部１１０へ記録される。次のＳ１１０６では、リモコン受信部１０８からの指示に従って、Ｂ点として設定されている番組の再生位置を再度再生して領域を選択する処理が行われ、領域選択情報が追加されて記録部１１０へ記録される。そしてＳ１１０３に戻り、さらにシーンへの領域の追加を行うかどうかをユーザに確認するために画面表示が行われ、シーン追加の場合、さらにシーンを追加するために上記処理が繰り返される。
【００４２】
図１２は、領域選択情報を加えたプレイリスト情報テーブルの一例を示す。本例では、プレイリストのＡ点及びＢ点の設定を行う際、設定時に選択していた領域選択情報がテーブルに記録される。シーン１や２では、それぞれの番組名とともに、Ａ点やＢ点での設定時刻の情報及び領域選択情報（指定なし）が記録されている。また、シーン３−１、シーン３−２については同一の番組名であって、複数の異なる表示領域が設定されている。つまり、番組１に関して、Ａ点及びＢ点にそれぞれ対応した時刻にて２つの領域選択情報がテーブルに記録されている。
【００４３】
図１３は、領域選択情報を加えたプレイリスト再生処理例を示すフローチャートである。ユーザからのプレイリスト再生の要求をリモコン受信部１０８が受け取り、これが記録再生制御部１０９に伝わることで処理が開始する。まず、記録再生制御部１０９は、記録部１１０に記録されているプレイリスト設定情報を検索し、Ａ点とＢ点の情報を取得する（Ｓ１３０１）。そして記録再生制御部１０９は、Ａ点に設定された番組位置の再生指示を記録部１１０に出し、Ａ点に設定された領域選択情報を領域選択制御部１１１に送出して、Ａ点の再生を開始させる（Ｓ１３０２）。
【００４４】
次に記録再生制御部１０９は、Ａ点とＢ点の領域選択情報が同一か否かを判別する（Ｓ１３０３）。その結果、両者が同一の場合、処理が終了する。また両者が同一でない場合、Ｓ１３０４に進む。ここで、Ａ点とＢ点の領域選択情報の差に基づいて、表示領域を徐々に移動させる処理が行われる（Ｓ１３０４）。この移動処理は、以下の方法で行われる。まず、Ａ点の表示領域を矩形状とした場合、４頂点の位置座標をそれぞれ（ｘ１，ｙ１）、（ｘ２，ｙ２）、（ｘ３，ｙ３）、（ｘ４，ｙ４）とする。そして、移動先の表示領域を矩形状として、その４頂点の位置座標をそれぞれ（ｘ１’，ｙ１’）、（ｘ２’，ｙ２’）、（ｘ３’，ｙ３’）、（ｘ４’，ｙ４’）とする。自然数変数ｉを導入し、ｉ＝１、２、３、・・・ｎとして、ｎ段階での連続的な移動を行うものとする。その際、各領域については、以下に示す線形補間法の計算式に従って座標値を算出して領域選択を行う。
【００４５】
各頂点を区別するための自然数変数Ｍ＝１、２、３、４を導入すれば、各頂点（ｘＭ、ｙＭ）についてはｉ値の増加に伴い、（（ｘＭ＋（（ｘＭ’−ｘＭ）／ｎ））×ｉ），（ｙＭ＋（（ｙＭ’−ｙＭ）／ｎ）×ｉ））の位置座標に従って頂点がそれぞれ移動する。
【００４６】
このような式に従って各頂点を移動させることで、切り換わり先へと選択領域を連続的に変更することができる。移動段階を示すｎ値については、Ａ点の時刻情報とＢ点の時刻情報の差、及び表示領域選択処理をスムーズに行える領域選択切換処理の性能によって決定できる。例えば、Ａ点とＢ点との時間差を１０秒とし、１００ミリ秒おきに１回の領域選択を行うものとすると、ｎ値としてｎ＝１００が求まる。
【００４７】
図１４は、領域選択情報を加えたプレイリスト再生に係る設定点についての説明図である。また図１５は、Ａ点からＢ点に亘って変化する選択領域の遷移例を示す。まず、図１４では、例えば全体映像が７６８０×４３２０画素の解像度をもつ領域とされ、選択領域は１９２０×１０８０画素の解像度をもつ領域とされた、領域変更可能番組において、Ａ点とＢ点をそれぞれ設定している。図中に点線の矩形枠で示す領域が設定表示領域を表している。このように設定したＡ点及びＢ点での領域に基づいて、上記処理によって画像を再生した結果、図１５に示すように、再生開始点であるＡ点及び再生終了点であるＢ点では設定された領域内で画像が表示される。そしてＡ点とＢ点との間では、両者間における再生時間の経過に伴って、上記計算式によって算出される領域の選択に従って画像表示が自動で行われることになる。
【００４８】
以上の処理に従い、Ａ点とＢ点との間でのシーン再生を行い、かつシーンごとの画像を順次に再生することにより、ユーザの好きなシーンを好きな順番で視聴できるようになる。図１３のフローチャートでは、Ｓ１３０１で読み込んだプレイリスト情報において、再生するシーン情報内に複数の領域が存在する場合、記録再生制御部１０９は、Ｓ１３０２にて、複数の設定点に係る領域選択情報を領域選択制御部１１１に指示する。複数の領域内の画像を切り出すことで、複数の画面にて画像表示を行うことができる。
【００４９】
図１６は、同一シーンに複数の領域情報が設定されている場合のプレイリスト処理結果の一例を示す。本図では、シーン３に対して２つの領域情報が設定されている場合、シーン内の各表示領域を２つの画面枠でそれぞれに表示する例を示している。例えばＡ点におけるシーン３−１の画像が左側の画面枠内に表示され、シーン３−２の画像が右側の画面枠内に表示されている。
【００５０】
実施形態２によれば、プレイリスト設定時において、設定時刻に加えて領域選択情報を記録し、その領域選択情報に基づいてプレイリスト再生を行える。従って、領域を加味したことでユーザのお気に入りのシーン再生を行うことができ、利便性が向上する。なお本発明に係る各工程は、ネットワーク又は各種記録媒体を介して取得したソフトウェア（コンピュータプログラム）をコンピュータ等の情報処理装置（ＣＰＵ、プロセッサ）にて実行することにより実現することでもできる。
【符号の説明】
【００５１】
１０１  記録再生装置
１０２  放送受信処理部
１０３  ＤＥＭＵＸ処理部
１０４  映像デコード処理部
１０５  表示映像選択処理部
１０６  音声デコード処理部
１０７  番組情報処理部
１０８  リモコン受信部
１０９  記録再生制御部
１１０  記録部
１１１  領域選択制御部
１１２  ＧＵＩ合成処理部
【図１】
2010272969.tif 000003
【図２】
2010272969.tif 000004
【図３】
2010272969.tif 000005
【図４】
2010272969.tif 000006
【図５】
2010272969.tif 000007
【図６】
2010272969.tif 000008
【図７】
2010272969.tif 000009
【図８】
2010272969.tif 000010
【図９】
2010272969.tif 000011
【図１０】
2010272969.tif 000012
【図１１】
2010272969.tif 000013
【図１２】
2010272969.tif 000014
【図１３】
2010272969.tif 000015
【図１４】
2010272969.tif 000016
【図１５】
2010272969.tif 000017
【図１６】
2010272969.tif 000018